(57)【要約】【課題】複数の保護継電器へそれぞれ電力を供給する電源のうち、いずれかの異常を自動的に検出可能であるとともに、検出された電源を修理する際の保護継電器の動作停止を防止可能な電源監視装置を提供する。【解決手段】電源３Ａ〜３Ｆ同士が互いに並列となるように接続する接続線５ａ，５ｂと、電源４Ａ〜４Ｆ同士が互いに並列となるように接続する接続線６ａ，６ｂと、接続線５ａと電源３Ａ〜３Ｆの間の電源線に設けられる電流計７ａ〜７ｆと、接続線６ａと電源４Ａ〜４Ｆの間に設けられる電流計８ａ〜８ｆと、電流計７ａ〜７ｆ，８ａ〜８ｆにそれぞれの一端が連結される連結線９ａ〜９ｆ，１０ａ〜１０ｆと、連結線９ａ〜９ｆ，１０ａ〜１０ｆのそれぞれの他端が連結される電源異常検出手段１１と、を備える。【選択図】図１
2017195692.tif 000002
【特許請求の範囲】
【請求項１】
並列する複数の回線にそれぞれ介在する保護継電器へ、それぞれ電力を供給する複数の電源の状態を監視する電源監視装置であって、
前記複数の電源同士が互いに並列となるようにループ状に接続する一対の接続線と、
この一対の接続線の一方と前記複数の電源の間にそれぞれ設けられる複数の電流計と、
この複数の電流計にそれぞれの一端が連結される複数の連結線と、
この複数の連結線のそれぞれの他端が連結される電源異常検出手段と、を備え、
前記複数の電流計は、前記複数の回線のうちの一の回線と、前記複数の電源との間に、前記一対の接続線を介してそれぞれ電流が発生する場合に、この電流を検出することを特徴とする電源監視装置。
【請求項２】
前記電源異常検出手段は、前記複数の電流計のうちの一の電流計によって計測された電流値の方向が、前記複数の電流計のうちの他の電流計によってそれぞれ計測された電流値の方向のいずれとも異なる場合に、前記一の電流計が接続された一の電源の電圧が低下したものと判断することを特徴とする請求項１記載の電源監視装置。
【請求項３】
それぞれ前記複数の電源からなる複数系統の電源が設けられ、
前記一対の接続線と、前記複数の電流計と、前記複数の連結線が、それぞれ前記複数系統の電源毎に設置されることを特徴とする請求項１又は請求項２記載の電源監視装置。
【請求項４】
前記一対の接続線の一方と前記複数の電流計の間に、それぞれ過電流遮断器が設けられることを特徴とする請求項１乃至請求項３記載のいずれか１項に記載の電源監視装置。
【請求項５】
前記複数の電流計は、いずれも直流電流の大きさと方向を計測可能な非接触クランプ型の電流計であることを特徴とする請求項１乃至請求項４記載のいずれか１項に記載の電源監視装置。
【発明の詳細な説明】
【技術分野】
【０００１】
本発明は、保護継電器へ電力を供給する電源を監視する電源監視装置に係り、特に、複数の電源を集中的に監視可能な電源監視装置に関する。
【背景技術】
【０００２】
従来、回線を事故から保護するために、保護継電器がこの回線に介在して設けられる。
しかしながら、保護継電器へ電力を供給する電源は、経年経過に伴う電圧喪失によって故障する場合があった。この場合、保護継電器が使用不可能となって回線に対する保護機能が働かないのは勿論のこと、長期の修理期間が必要となるという課題があった。
そこで、このような課題を解決する目的で、近年、電源の電圧を常時監視してその異常を検知可能な電源監視装置に関する技術が開発されており、それに関して既にいくつかの発明が開示されている。
【０００３】
特許文献１には、「電源監視装置」という名称で、電子回路に供給される電源を監視する電源監視装置に関する発明が開示されている。
以下、特許文献１に開示された発明について説明する。特許文献１に開示された発明は、電源の電圧レベルを観測することで電圧低下・電圧上昇を監視する電圧監視部と、電源の波形を取り込むと同時に波形に歪みがないかを監視することで瞬間的電圧変動やノイズを監視する波形取込部と、それらの監視結果を時刻と関連付けて記録するメモリと、電源監視装置用の電源と、メモリと外部とをつなぎメモリのデータを読み出すためのインターフェース部とを備えたことを特徴とする。  このような特徴を有する電源監視装置によれば、従来の電源監視装置では検出できなかった瞬時の電源電圧の異常を監視することができ、電子回路の確実な保護が図れる。また、電源異常により回路が誤動作した場合は、メモリの電圧異常の履歴を参照することで、電源異常が誤動作の発生要因であることを特定することができる。これにより、効率的なデバッグが可能となる。
【０００４】
次に、特許文献２には、「電流検出器」という名称で、配線ケーブルに流れる電流によって誘起される起電圧を検出する電流検出器に関する発明が開示されている。
特許文献２に開示された発明は、共通の負荷に複数の電源を配線ケーブルにより並列接続して負荷に電力を供給する負荷供給システムに適用され、配線ケーブルに沿って近接又は接触させ、配線ケーブルに流れる電流の電流変化率によって誘起される起電圧を検出するものであって、絶縁電線を少なくとも１回巻のループを形成した検出コイルと、検出コイルを支持し配線ケーブルに沿って近接又は接触させる絶縁体と、検出コイルを絶縁体に結束するための配線用結束帯と、検出コイルに導かれる端子間電圧を導出する端子間電圧導出用負荷と、配線ケーブル出力が短絡状態等の異常状態となったとき端子間電圧導出用負荷の出力電圧の大きさが所定レベルを超え、かつ電流方向が逆向きになり、短絡状態等の異常状態を確認可能な素子の閉回路を開放し、この開放状態を保持することで配線ケーブルの異常状態を確認可能にする保持回路と、を備えたことを特徴とする。  このような特徴を有する電流検出器によれば、配線ケーブルに短絡が発生すると、短絡電流に応じた起電圧が検出コイルに発生し、この起電圧により端子間電圧導出用負荷に過大電流が流れる。これにより発生する過大電圧によって、発光ダイオードが破壊されて消灯することから、配線ケーブルが短絡したことが分かる。また、この電流検出器は、高電圧回路に有効であり、機器を追加することもなく安価となる。
【先行技術文献】
【特許文献】
【０００５】
【特許文献１】特開２０１１−１７４８２７号公報
【特許文献２】特開２０１０−１９７１７２号公報
【発明の概要】
【発明が解決しようとする課題】
【０００６】
しかしながら、特許文献１に開示された発明においては、電源監視装置からの電源停止信号を受けて電源供給が停止するため、電子回路が回線に設けられた保護継電器の場合では、保護継電器が動作せず、回線が保護されない。また、複数の電源が備えられている場合、電源異常判定部を、それぞれの電源に設置する必要があるため、コストが嵩むおそれがある。
【０００７】
また、特許文献２に開示された発明においては、複数の配線ケーブル毎にそれぞれ電流検出器を設ける場合、配線ケーブルの短絡状態を確認するには、固定側端子台及び可動側端子台からなる磁束検出用ＬＥＤ端子台を準備し、可動側端子台に発光ダイオードをそれぞれ接続し、このうち少なくとも１個の発光ダイオードが消灯したら、可動側端子台を固定側端子台から取り外し、確認用端子台に接続するという作業が必要である。すなわち、いずれの配線ケーブルが短絡状態となっているかを自動的かつ容易に確認できるとは言い難い。
【０００８】
本発明は、このような従来の事情に対処してなされたものであり、複数の保護継電器へそれぞれ電力を供給する電源のうち、いずれかの異常を自動的に検出可能であるとともに、検出された電源を修理する際に、これに対応する保護継電器へ他の電源から電力供給が可能となることによって、保護継電器の動作停止を防止可能な電源監視装置を提供することを目的とする。
【課題を解決するための手段】
【０００９】
上記目的を達成するため、第１の発明は、並列する複数の回線にそれぞれ介在する保護継電器へ、それぞれ電力を供給する複数の電源の状態を監視する電源監視装置であって、複数の電源同士が互いに並列となるようにループ状に接続する一対の接続線と、この一対の接続線の一方と複数の電源の間にそれぞれ設けられる複数の電流計と、この複数の電流計にそれぞれの一端が連結される複数の連結線と、この複数の連結線のそれぞれの他端が連結される電源異常検出手段と、を備え、複数の電流計は、複数の回線のうちの一の回線と、複数の電源との間に、一対の接続線を介してそれぞれ電流が発生する場合に、この電流を検出することを特徴とする。
【００１０】
このような構成の発明において、一対の接続線を介して並列となるようにループ状に接続される複数の電源のうち、いずれにも電圧低下といった異常のない場合、これら複数の電源の電圧は同等である。よって、複数の電源間に一対の接続線を介して電流は流れない。
これに対し、例えば、複数の電源のうちのいずれかに異常が発生すると、他の正常な複数の電源から、初期異常や劣化が発生して低電圧となった電源に向かって一対の接続線を介しそれぞれ電流が流れ込む。
【００１１】
この電流は、複数の電流計のすべてによって、少なくともその大きさが検出される。また、複数の電流計は、電流の大きさの他、電流の方向も検出可能なものがある。
また、複数の電流計は、それぞれ複数の連結線を介して電源異常検出手段と連結されているので、複数の電流計によって検出された電流は、電源異常検出手段によってそれぞれ独立してその大きさと方向が認識される。
【００１２】
次に、第２の発明は、第１の発明において、電源異常検出手段は、複数の電流計のうちの一の電流計によって計測された電流値の方向が、複数の電流計のうちの他の電流計によってそれぞれ計測された電流値の方向のいずれとも異なる場合に、一の電流計が接続された一の電源の電圧が低下したものと判断することを特徴とする。
このような構成の発明においては、複数の電流計によってそれぞれ計測された電流値同士の方向を比較することで、一の電源の電圧が低下したとして特定される。
また、一の電流計によって計測された電流値の方向が、他の電流計によって計測された電流値の方向のいずれとも異なる場合とは、複数の電源のうち他の電源から一の電源へ電流が流れ込んでいることを意味している。そのため、一の電源に対応する保護継電器は、一の電源の電圧が低下しても、他の電源によって電力供給されることになる。
また、本願においては、上記の「異なる場合」とは、例えば、一の電流計によって計測された電流値の方向は正であるのに対し、他の電流計によってそれぞれ計測された電流値の方向は正でない、すなわち、電流値が負の値又はゼロとなる場合が考えられる。
【００１３】
さらに、第３の発明は、第１又は第２の発明において、それぞれ複数の電源からなる複数系統の電源が設けられ、一対の接続線と、複数の電流計と、複数の連結線が、それぞれ複数系統の電源毎に設置されることを特徴とする。
このような構成の発明においては、例えば、それぞれ６台の電源からなる２系統の電源が設けられている場合では、一対の接続線と、６台の電流計と、６本の連結線が、それぞれ２系統の電源毎に設置される。すなわち、合計で２対の接続線と、１２台の電流計と、１２本の連結線が設置される。ただし、電源異常検出手段は、１台のみであって、１２本の連結線の他端のいずれもが連結される。
上記構成の発明においては、第１又は第２の発明の作用に加えて、電源異常検出手段によって、複数の電流計によってそれぞれ計測された電流値が、複数系統の電源毎に認識される。
【００１４】
そして、第４の発明は、第１乃至第３のいずれかの発明において、一対の接続線の一方と複数の電流計の間に、それぞれ過電流遮断器が設けられることを特徴とする。
このような構成の発明においては、第１乃至第３のいずれかの発明の作用に加えて、保護継電器内部の回路や電源から一対の接続線の一方との接続点までの間で発生した不具合から過電流が発生した場合に、過電流遮断器が働くことで内部回路や電源を接続線から遮断し、この過電流が接続線を介して他の電源や内部回路へ波及することが防止される。
【００１５】
さらに、第５の発明は、第１乃至第４のいずれかの発明において、複数の電流計は、いずれも直流電流の大きさと方向を計測可能な非接触クランプ型の電流計であることを特徴とする。
このような構成の発明においては、第１乃至第４のいずれかの発明の作用に加えて、電流が直流の場合に、一対の接続線の一方と複数の電源の間に非接触クランプ型の電流計を取り付けることにより、この電流の大きさと方向が計測される。非接触クランプ型の電流計としては、ホール素子を用いた電流計が一般的な電流計として存在している。
【発明の効果】
【００１６】
第１の発明によれば、一対の接続線が複数の電源同士をループ状に接続する構成により、他の正常な複数の電源から、初期異常や劣化が発生して低電圧となった電源に向かう電流を発生させることができる。さらに、複数の電流計が設けられることで、電流をそれぞれ検出し、電源異常検出手段によってそれぞれ独立してその大きさと方向が認識されることから、複数の電源のうち、いずれの電源の異常、不具合かを特定して検出可能である。
【００１７】
第２の発明によれば、第１の発明の効果に加えて、電圧が低下した一の電源を自動的に特定することができる。
さらに、一の電源によって電力が供給される保護継電器は、一の電源の電圧が低下しても、他の電源によって電力が供給されることになるので、この保護継電器の不作動リスクを回避可能である。よって、保護継電器に対する信頼度を向上させることができる。
【００１８】
第３の発明によれば、第１又は第２の発明の効果に加えて、複数の電流計によってそれぞれ計測された電流値が複数系統の電源毎に認識されるので、複数系統の電源毎に、異常、不具合を発生した電源を特定できる。
【００１９】
第４の発明によれば、第１乃至第３のいずれかの発明の効果に加えて、保護継電器内部の回路や電源から一対の接続線の一方との接続点までの間で発生した不具合から過電流が発生した場合に、過電流遮断器が働くことで内部回路や電源を接続線から遮断し、この過電流が接続線を介して他の電源や内部回路へ波及することが防止されるため、一対の接続線を設けたことによって発生する不利益を回避しつつ、自己の電源以外の電源からの電力の供給を受けるという利益を十分に発揮させることができる。
【００２０】
第５の発明によれば、第１乃至第４のいずれかの発明の効果に加えて、非接触クランプ型の電流計を取り付けることにより、簡単に直流電流の大きさと方向が計測されるため、極めて容易に電源異常検出手段へ送られる電流の計測値を得ることができる。
【図面の簡単な説明】
【００２１】
【図１】実施例に係る電源監視装置の構成図である。
【図２】実施例に係る電源監視装置を流れる電流の概念図である。
【図３】実施例に係る電源監視装置の作用を説明するためのフローチャートである。
【発明を実施するための形態】
【実施例】
【００２２】
本発明の実施の形態に係る実施例の電源監視装置について、図１乃至図３を用いて詳細に説明する。図１は、実施例に係る電源監視装置の構成図である。
図１に示すように、本実施例に係る電源監視装置１は、並列する複数の回線Ａ〜Ｆにそれぞれ介在する保護継電器２Ａ〜２Ｆへ、それぞれ電力を供給する複数の電源３Ａ〜３Ｆ，４Ａ〜４Ｆの状態を監視する電源監視装置である。具体的には、電源３Ａ〜３Ｆは、保護継電器２Ａ〜２Ｆに備えられるランプ類点灯用など表示器に用いられる５（Ｖ）の電源であり、電源系統３を構成する。電源４Ａ〜４Ｆは、保護継電器２Ａ〜２Ｆを作動させるための２４（Ｖ）の電源であり、電源系統４を構成する。以下、電源系統３，４に分けて、電源監視装置１の構成を説明する。
【００２３】
まず、電源系統３について、電源監視装置１の構成を説明する。電源監視装置１は、電源３Ａ〜３Ｆ同士が互いに並列となるようにループ状に接続する一対の接続線５ａ，５ｂと、接続線５ａと電源３Ａ〜３Ｆの間の電源線にそれぞれ設けられる複数の電流計７ａ〜７ｆと、この複数の電流計７ａ〜７ｆにそれぞれの一端が連結される複数の連結線９ａ〜９ｆを備える。さらに、電源監視装置１は、この複数の連結線９ａ〜９ｆのそれぞれの他端が連結される電源異常検出手段１１を備える。
このうち、一対の接続線５ａ，５ｂは、実際には、図１の左右両端部（＊５ａ同士，＊５ｂ同士）が互いに接続された構成である。そして、複数の電流計７ａ〜７ｆは、それぞれ接続線５ａと電源３Ａ〜３Ｆとの間に、それぞれ電流ＩＡ〜ＩＥが発生する場合に、この電流ＩＡ〜ＩＦを検出する。
【００２４】
次に、電源系統４について、電源監視装置１の構成を説明する。電源監視装置１は、電源４Ａ〜４Ｆ同士が互いに並列となるようにループ状に接続する一対の接続線６ａ，６ｂと、接続線６ａと電源４Ａ〜４Ｆの間の電源線にそれぞれ設けられる複数の電流計８ａ〜８ｆと、この複数の電流計８ａ〜８ｆにそれぞれの一端が連結される複数の連結線１０ａ〜１０ｆを備える。この連結線１０ａ〜１０ｆのそれぞれの他端は、電源異常検出手段１１に連結される。
また、一対の接続線６ａ，６ｂは、実際には、図１の左右両端部（＊６ａ同士，＊６ｂ同士）が互いに接続された構成である。そして、複数の電流計８ａ〜８ｆは、それぞれ接続線６ａと電源４Ａ〜４Ｆとの間に、それぞれ電流ＩＡ´〜ＩＥ´が発生する場合に、この電流ＩＡ´〜ＩＦ´を検出する。
【００２５】
なお、電流ＩＡ〜ＩＦ，ＩＡ´〜ＩＦ´は、それぞれ直流電流であるため、電流計７ａ〜７ｆ，８ａ〜８ｆは、いずれも直流電流の大きさと方向を計測可能な電流計が使用される。また、電流計７ａ〜７ｆ，８ａ〜８ｆは、上記の大きさ等を容易に測定可能な非接触なクランプ型の電流計が望ましい。非接触のクランプ型の電流計であれば、電流計７ａ〜７ｆ，８ａ〜８ｆを、電源３Ａ〜３Ｆ，４Ａ〜４Ｆの各接続口に、容易に取り付けることができるためである。非接触のクランプ型の直流電流計の例としては、ホール素子を用いた電流計が知られている。
加えて、電源監視装置１には、接続線５ａと電流計７ａ〜７ｆの間に、それぞれ過電流遮断器１２ａ〜１２ｆが設けられ、接続線６ａと電流計８ａ〜８ｆの間に、それぞれ過電流遮断器１３ａ〜１３ｆが設けられる。したがって、保護継電器２Ａ〜２Ｆ内部の回路や電源３Ａ〜３Ｆから接続線５ａとの接続点までの間で発生した不具合から電流ＩＡ〜ＩＦが過電流となったり、同様に、保護継電器２Ａ〜２Ｆ内部の回路や電源４Ａ〜４Ｆから接続線６ａとの接続点までの間で発生した不具合から電流ＩＡ〜ＩＦが過電流となるような場合には、過電流遮断器１２ａ〜１２ｆ，１３ａ〜１３ｆを作動させて、その不具合が発生した保護継電器２Ａ〜２Ｆを遮断して、他の保護継電器２Ａ〜２Ｆの内部回路や電源３Ａ〜３Ｆ，４Ａ〜４Ｆへ過電流が波及して不具合が伝播することを抑制することができる。
従って、過電流遮断器１２ａ〜１２ｆ，１３ａ〜１３ｆが設けられることで、一対の接続線５ａ，５ｂ，６ａ，６ｂを設けたことによって発生する不利益を回避しつつ、自己の電源以外の電源からの電力の供給を受けるという利益を十分に享受することができる。
【００２６】
そして、電源異常検出手段１１は、電源系統３において、電流計７ａ〜７ｆのうちの一の電流計によって計測された電流値の方向が、電流計７ａ〜７ｆのうちの他の電流計によってそれぞれ計測された電流値の方向のいずれとも異なる場合に、一の電流計が接続された一の電源の電圧が低下したものと判断する。
同様に、電源異常検出手段１１は、電源系統４において、電流計８ａ〜８ｆのうちの一の電流計によって計測された電流値の方向が、電流計８ａ〜８ｆのうちの他の電流計によってそれぞれ計測された電流値の方向のいずれとも異なる場合に、一の電流計が接続された一の電源の電圧が低下したものと判断する。
【００２７】
次に、電流計７ａ〜７ｆによってそれぞれ検出される電流ＩＡ〜ＩＦについて、図２を用いながら、より詳細に説明する。図２は、実施例に係る電源監視装置を流れる電流の概念図である。なお、図１で示した構成要素については、図２においても同一の符号を付して、その説明を省略する。また、保護継電器２Ａ〜２Ｆ、電流計７ａ〜７ｆ及び過電流遮断器１２ａ〜１２ｆの図示も省略する。
図２に示すように、例えば、電源３Ａが経年劣化に伴い電圧が低下した場合に、隣接する正常な電源３Ｂ，３Ｆから、電源３Ａに向かって接続線５ａを介しそれぞれ電流ＩＢ，ＩＦが流れ込む。電流ＩＢ，ＩＦは合流し、電流計７ａ（図１参照）によって電流ＩＡとして検出される。隣接する正常な電源３Ｂ，３Ｆから電流ＩＢ，ＩＦが流れ込むと考えられるものの、さらに電源３Ｂ，３Ｆに隣接する電源３Ｃ，３Ｅでは、隣接する電源３Ｂ，３Ｆとは電位差がないことから電流ＩＣ，ＩＥは０になるものと考えられる。
このとき、電流ＩＡ〜ＩＥの方向に注目すると、電流ＩＢ，ＩＦはそれぞれ正常な電源３Ｂ，３Ｆから流出し、電流ＩＡは電源３Ａに流入するものであるから、電流ＩＢ，ＩＦの方向を逆方向、電流ＩＡの方向を順方向と概念することができる。
このような概念は、電流計８ａ〜８ｆ（図１参照）によってそれぞれ検出される電流ＩＡ´〜ＩＦ´についても同様である。
また、具体的には、電流計７ａ〜７ｆ（図１参照）によって、電流ＩＡが正の値となり、電流ＩＢ，ＩＦが負の値となるように計測され、その他の電流ＩＣ，ＩＤ，ＩＥは０と計測される。同様に、電源４Ａの電圧が低下した場合には、電流計８ａ〜８ｆによる測定のうち、電流ＩＡ´が正の値となり、電流ＩＢ´，ＩＦ´が負の値となり、電流ＩＣ´，ＩＤ´，ＩＥ´は０と計測される。
【００２８】
続いて、実施例に係る電源監視装置の作用について、図３を用いながら、より詳細に説明する。図３は、実施例に係る電源監視装置の作用を説明するためのフローチャートである。なお、図１及び図２で示した構成要素については、図３においても同一の符号を付して、その説明を省略する。
より詳細には、図３は、電源３Ａ〜３Ｆのうち、電圧が低下した一の電源を特定するための流れを示している。
図３に示すように、電源異常検出手段１１（図１参照）は、まず、回線Ａについて、条件１：電流ＩＡ＞０，電流ＩＢ〜ＩＦ≦０であるか否かを判断する。条件１の結果が「Ｙｅｓ」であれば、電流ＩＡを検出した電流計７ａが接続された電源３Ａの電圧が低下し故障したものと判断する。電流ＩＢ〜ＩＦについては隣接する電源との間で電位差がない場合には前述のとおり０値となるので、その０値も含めた不等式となっている。
条件１の結果が「Ｎｏ」であれば、次に、回線Ｂについて、条件２：電流ＩＢ＞０，電流ＩＡ，ＩＣ〜ＩＦ≦０であるか否かを判断する。
【００２９】
条件２の結果が「Ｙｅｓ」であれば、電流ＩＢを検出した電流計７ｂが接続された電源３Ｂの電圧が低下し故障したものと判断する。条件２の結果が「Ｎｏ」であれば、次に、回線Ｃについて、条件３：電流ＩＣ＞０，電流ＩＡ，ＩＢ，ＩＤ〜ＩＦ≦０であるか否かを判断する。
【００３０】
条件３の結果が「Ｙｅｓ」であれば、電流Ｉｃを検出した電流計７ｃが接続された電源３Ｃの電圧が低下し故障したものと判断する。条件３の結果が「Ｎｏ」であれば、次に、回線Ｄについて、条件４：電流ＩＤ＞０，電流ＩＡ〜ＩＣ，ＩＥ，ＩＦ≦０であるか否かを判断する。
【００３１】
条件４の結果が「Ｙｅｓ」であれば、電流ＩＤを検出した電流計７ｄが接続された電源３Ｄの電圧が低下し故障したものと判断する。条件４の結果が「Ｎｏ」であれば、次に、回線Ｅについて、条件５：電流ＩＥ＞０，電流ＩＡ〜ＩＤ，ＩＦ≦０であるか否かを判断する。
【００３２】
条件５の結果が「Ｙｅｓ」であれば、電流ＩＥを検出した電流計７ｅが接続された電源３Ｅの電圧が低下し故障したものと判断する。条件５の結果が「Ｎｏ」であれば、次に、回線Ｆについて、条件６：電流ＩＦ＞０，電流ＩＡ〜ＩＥ≦０であるか否かを判断する。
【００３３】
条件６の結果が「Ｙｅｓ」であれば、電流ＩＦを検出した電流計７ｆが接続された電源３Ｆの電圧が低下し故障したものと判断する。条件６の結果が「Ｎｏ」であれば、次に、回線Ａについての条件１の判断に戻り、以降の判断が繰り返される。
なお、このような電源異常検出手段１１による判断は、電源系統４においても同様である。
したがって、電源監視装置１においては、常時、電源３Ａ〜３Ｆ，４Ａ〜４Ｆの電圧の状態について、監視が行われることになる。
【００３４】
以上説明したように、実施例に係る電源監視装置１によれば、接続線５ａ，５ｂ，６ａ，６ｂと、電流計７ａ〜７ｆ，８ａ〜８ｆが設けられることで、電源３Ａ〜３Ｆ，４Ａ〜４Ｆのうち初期異常や経年劣化が発生して低電圧となった電源に向かう電流ＩＡ〜ＩＦ，ＩＡ´〜ＩＦ´の大きさと方向をそれぞれ検出することができる。
また、電源監視装置１によれば、電源異常検出手段１１によって、条件１乃至６のように簡単なアルゴリズムに基づき、電源３Ａ〜３Ｆ，４Ａ〜４Ｆの中から電圧が低下した一の電源を自動的に特定することができる。そのため、複数の電源３Ａ〜３Ｆ，４Ａ〜４Ｆのうち、いずれか一の電源の電圧が徐々に低下した場合に、この電源が完全に故障する前に交換することが可能である。なお、完全に故障した電源を修理する場合、修理期間が長期化してしまう場合が多いが、初期不良に留まる電源を修理する場合では、比較的短期間でかつ費用も安価に修理できる。
【００３５】
さらに、例えば、電源３Ａの電圧が低下した場合、この電源３Ａによって電力が供給される保護継電器２Ａは、他の電源３Ｂ〜３Ｆによって電力が供給されることになるので、保護継電器２Ａの不動作のリスクを回避可能である。電源３Ｂ〜３Ｆ，４Ａ〜４Ｆのうち、いずれかの電圧が低下した場合においても同様に、保護継電器２Ｂ〜２Ｆの不動作のリスクを回避可能である。よって、電力供給されない保護継電器の代わりに回線Ａ〜Ｆを保護するための代替保護対策が不要となるとともに、保護継電器２Ａ〜２Ｆに対する信頼度を向上させることができる。
【００３６】
また、電源監視装置１によれば、電源３Ａ〜３Ｆ，４Ａ〜４Ｆの接続口に、それぞれ電流計７ａ〜７ｆ，８ａ〜８ｆが設置されるので、電源３Ａ〜３Ｆ毎に電流ＩＡ〜ＩＦを認識可能であるとともに、電源４Ａ〜４Ｆ毎に電流ＩＡ´〜ＩＦ´を認識することができる。
そして、連結線９ａ〜９ｆ，１０ａ〜１０ｆのそれぞれの他端は、すべて１台の電源異常検出手段１１に連結されることから、電源異常検出手段１１による集中管理が可能であり、電源３Ａ〜３Ｆ，４Ａ〜４Ｆの状態を効率的に把握することができる。
なお、この点に関し、特許文献１に係る従来技術では、複数の電源が備えられている場合では、電源異常判定部をそれぞれの電源に設置する必要があるため、コストが嵩むおそれがあった。これに対し、電源監視装置１によれば、前述したように、複数の電源３Ａ〜３Ｆ，４Ａ〜４Ｆが備えられる場合であっても、１台の電源異常検出手段１１で足りることから、従来技術よりも、コストを抑制することができる。
【００３７】
加えて、電源監視装置１によれば、電流ＩＡ〜ＩＦ，ＩＡ´〜ＩＦ´が過電流であった場合に、過電流遮断器１２ａ〜１２ｆ，１３ａ〜１３ｆによって、その過電流の原因となった不具合が発生した保護継電器２Ａ〜２Ｆを遮断して、他の保護継電器２Ａ〜２Ｆの内部回路や電源３Ａ〜３Ｆ，４Ａ〜４Ｆへ過電流が波及することで生じる不具合の伝播を抑制することができる。
従って、今回の実施の形態において設置された一対の接続線５ａ，５ｂ，６ａ，６ｂによって損なわれる不利益を解消することもできる。
さらに、電源監視装置１によれば、電流計７ａ〜７ｆ，８ａ〜８ｆとして、直流電流の大きさと方向を計測可能であり、かつ取り付け容易な非接触のクランプ型電流計を採用しているため、極めて容易に電流ＩＡ〜ＩＦ，ＩＡ´〜ＩＦ´の大きさと方向を得ることができるとともに、回線の合計本数の変動についても柔軟な対応が可能である。
【００３８】
なお、本発明の電源監視装置１の構造は実施例に示すものに限定されない。例えば、電源系統３、接続線５ａ，５ｂ、電流計７ａ〜７ｆ及び連結線９ａ〜９ｆは、省略されても良い。また、電源異常検出手段１１において、判断条件として電流ＩＡ〜ＩＦ，ＩＡ´〜ＩＦ´の大きさを利用することにより、電源３Ａ〜３Ｆ，４Ａ〜４Ｆのうち、電圧が低下した電源が推定されても良い。この場合、例えば、電源３Ａの電流ＩＡが、正常な電源３Ｂ〜３Ｆの電流ＩＢ〜ＩＦのいずれよりも大きい場合に、電源３Ａの電圧が低下したものと判断する。
また、電流計７ａ〜７ｆ，８ａ〜８ｆは、非接触のクランプ型電流計以外の電流計が採用されても良い。
【産業上の利用可能性】
【００３９】
本発明は、並列する複数の回線にそれぞれ介在する保護継電器へ、それぞれ電力を供給する複数の電源の状態を監視する電源監視装置として利用可能である。
【符号の説明】
【００４０】
１…電源監視装置  ２Ａ〜２Ｆ…保護継電器  ３…電源系統  ３Ａ〜３Ｆ…電源  ４…電源系統  ４Ａ〜４Ｆ…電源  ５ａ，５ｂ…接続線  ６ａ，６ｂ…接続線  ７ａ〜７ｆ…電流計  ８ａ〜８ｆ…電流計  ９ａ〜９ｆ…連結線  １０ａ〜１０ｆ…連結線  １１…電源異常検出手段  １２ａ〜１２ｆ…過電流遮断器  １３ａ〜１３ｆ…過電流遮断器  Ａ〜Ｆ…回線  ＩＡ〜ＩＦ…電流  ＩＡ´〜ＩＦ´…電流
【図１】
2017195692.tif 000003
【図２】
2017195692.tif 000004
【図３】
2017195692.tif 000005